(57)【要約】  例えば、目盛の所定の位置に日付を表示する時計の針をセットするための機構（１）を開示している。この機構（１）は、カムディスク（２）と、カムディスク（２）と力を伝達する形で接続された、ピニオン（７）の歯と係合して力を伝達する歯（４１）を持つ第一の熊手状部品（４）とを備えている。同様に、第二の熊手状部品（５）は、ピニオン（７）の歯（７１）と係合する歯（５１）を持ち、第二の熊手状部品（５）は、第一の熊手状部品（４）がピニオン（７）に加える力と逆に作用する力をピニオン（７）の歯に加える。本発明では、第一の熊手状部品（４）と第二の熊手状部品（５）が重なり合うように配置されており、第二の熊手状部品（５）は、同じく第一の軸（Ｂ）の周りに軸支することが可能なように取り付けることができる。この実施形態は、場所を取らず、熊手状部品（４，５）が互いに安定させ合っているという利点を有する。
2009531684.tif 000002
【特許請求の範囲】
【請求項１】
・カムディスク（２）と、
・カムディスク（２）と力を伝達する形で接続されるとともに、第一の軸（Ｂ）の周りに軸支された、歯（４１）を持つ第一の熊手状部品（４）と、
・指針を駆動するための歯（７１）を持ったピニオン（７）であって、ピニオン（７）の歯（７１）が第一の熊手状部品（４）の歯（４１）と係合しており、そのため、カムディスク（２）から伝達される力によって、第一の熊手状部品（４）の歯（４１）が、熊手状部品（４）をピニオン（７）の歯（７１）の一方の側面で支持させるようになっているピニオン（７）と、
・ピニオン（７）の歯（７１）と係合する歯（５１）を持った第二の熊手状部品（５）と、
を備えた時計の指針の駆動機構において、
第一の熊手状部品（４）と第二の熊手状部品（５）が重なり合うように配置されていることを特徴とする指針の駆動機構。
【請求項２】
第二の熊手状部品（５）は、第一の熊手状部品（４）がピニオン（７）に加える力と逆向きの力をピニオン（７）の歯（７１）に加えることを特徴とする請求項１に記載の指針の駆動機構（１）。
【請求項３】
第二の熊手状部品（５）も、第一の軸（Ｂ）の周りに軸支されていることを特徴とする請求項１又は２に記載の指針の駆動機構（１）。
【請求項４】
両方の熊手状部品（４，５）が、共通の固定部品（４４，５４）を有することを特徴とする請求項１から３までのいずれか一つに記載の指針の駆動機構（１）。
【請求項５】
歯（４１，５１）のピッチが、両方の熊手状部品（４，５）において異なっていることを特徴とする請求項１から４までのいずれか一つに記載の指針の駆動機構（１）。
【請求項６】
両方の熊手状部品（４，５）の構成部分が異なっていることを特徴とする請求項１から５までのいずれか一つに記載の指針の駆動機構（１）。
【請求項７】
カムディスク（２）がスネイルカムであることを特徴とする請求項１から６までのいずれか一つに記載の指針の駆動機構（１）。
【請求項８】
第二の熊手状部品（５）が、スプリング（６）と力を伝達する形で接続されており、そのスプリングが、力を第二の熊手状部品（５）に加えていることを特徴とする請求項１から７までのいずれか一つに記載の指針の駆動機構（１）。
【請求項９】
第二の熊手状部品（５）が、カムディスク（２）と逆側に凹部（５２）を備えており、スプリング（６）が、この凹部（５２）に作用していることを特徴とする請求項８に記載の指針の駆動機構（１）。
【請求項１０】
スプリング（６）が２つの脚部（６１）を有することを特徴とする請求項８又は９に記載の指針の駆動機構（１）。
【請求項１１】
２つの熊手状部品（４，５）の中の少なくとも一つ又はピニオン（７）が、プラスチック材料から構成されていることを特徴とする請求項１から１０までのいずれか一つに記載の指針の駆動機構（１）。
【請求項１２】
第一の熊手状部品（４）が金属から構成されており、第二の熊手状部品（５）がプラスチック材料から構成されていることを特徴とする請求項１１に記載の指針の駆動機構（１）。
【請求項１３】
カムディスク（２）は、第一の熊手状部品（４）がカムディスク（２）の回転に伴って幾つかの離散的な位置で停止するような輪郭（２１）を有することを特徴とする請求項１から１２までのいずれか一つに記載の指針の駆動機構（１）。
【請求項１４】
カムディスク（２）が星形歯車（３）と接続されていることを特徴とする請求項１から１３までのいずれか一つに記載の指針の駆動機構（１）。
【請求項１５】
第一の熊手状部品（４）が、カムディスク（２）の方を向いた側面に、Ｌ字形状の凹部（４２）を有することを特徴とする請求項１から１４までのいずれか一つに記載の指針の駆動機構（１）。
【請求項１６】
指針が、週の日、日付又は時間を表すことを特徴とする請求項１から１５までのいずれか一つに記載の指針の駆動機構（１）。
【請求項１７】
指針が、窓を通して一部を見ることが可能なディスクであることを特徴とする請求項１から１６までのいずれか一つに記載の指針の駆動機構（１）。
【発明の詳細な説明】
【技術分野】
【０００１】
本発明は、独立請求項の前段部分にもとづく時計の指針を駆動するための機構に関する。
【背景技術】
【０００２】
針を駆動する時計及び時計仕掛けに関して、多くの数の従来技術が知られている。本発明は、一方の限界位置から他方の限界位置に動くが、その後全回転すること無く同じ経路にリセットされる針を駆動する機構に関する。その場合針は、目盛の一定の位置に止まって、日付又は時間を表す。
【０００３】
特許文献１は、基本的に、星形のピニオンと接続されたカムディスクから構成される機構の一般的な形状を開示している。両部品は、１つの軸の周りに配置されており、その軸の周りを回転する。７つの歯を持ち、徐々に回転する星形のピニオンの位置は、歯の溝と係合するレバーによって、それぞれの位置に保持されている。そのため、カムディスクの７つの異なる位置に調整することが可能であり、カムディスクと力を伝達する形で接続された熊手状部品の指状突起部が、カムディスクの輪郭に沿ってスライドするとともに、その輪郭と適合している。カムディスクの輪郭は、高さがそれ以外の輪郭と僅かに異なり、指状突起部を支持する７つの異なる位置を持つように設計されている。従って、この熊手状部品は、段階的に移動して、針のピニオンの歯と係合する、熊手状部品の歯が、針を動かし、そのため、針は、それぞれ相応の角度だけ移動することとなる。針は、針をリセットするとともに、針と熊手状部品に作用する力を発生させるスプリングと接続されている。
【０００４】
しかし、特許文献１のカムディスクの輪郭に関して、離散的な位置の間の間隔が比較的大きく、そのため、切換トルクが比較的長く続き、そのことが、特に、針をリセットする間に不利に作用する可能性が有ることが有利ではない。
【０００５】
そのような機構は、特許文献２〜４によっても周知である。しかし、それらは、スプリングが力を直接熊手状部品に作用させて、熊手状部品をその位置で安定させる形態である。特許文献２では、ピニオンを一定の角度で回転させているが、針のリセットは行われていない。
【０００６】
同様に、特許文献５は、４つの熊手状部品が単一の中心のカムディスクの周りに配置された機構を開示している。４つの熊手状部品の各々は、四角い時計の４つの角に配置された針を駆動している。これらの熊手状部品は、スプリングによって、カムディスクの輪郭に押し付けられている。スプリングは、２つの脚部を有し、一点で固定されている。
【０００７】
特許文献６は、２つの熊手状部品が中心のカムディスクの周りに配置された機構を有する時計を開示している。この場合の特徴は、熊手状部品が２つの脚部から構成されて、第一の脚部がカムディスクの輪郭と力を伝達する形で接続されており、第二の脚部が針をセットする歯を持っていることである。両方の脚部は、共通の一点に集まって、その点の周りに傾斜した形で保持されている。
【０００８】
特許文献７は、２つの針の直線的な移動を更に保証する同様の機構を開示している。
【０００９】
別の実施形態が、特許文献８に開示されている。第一の熊手状部品の歯とピニオンの歯の間の遊びを調整するために、第二の熊手状部品が配備されている。この熊手状部品は、ピニオンの別の側面に配備されており、第一のピニオンの力と逆方向の力をピニオンに作用させている。しかし、熊手状部品がピニオンの２つの異なる側面に配置されているので、この構成には非常に大きなスペースを必要とすることが有利ではない。更に、カムディスクのサイズに関して、このシステムを別の用途に転用するための幾何学的な変更が殆ど不可能である。
【００１０】
特許文献９により、ピニオンの歯の遊びを補正するために、歯を変更することも周知である。一定の隙間と配列によって、歯を各用途に合わせて調整することが可能であるとともに、遊びを一定の程度に低減することが可能である。
【特許文献１】スイス特許公開第６６６，５９１号明細書
【特許文献２】フランス特許公開第５４８，７８５号明細書
【特許文献３】フランス特許公開第７４３，６１８号明細書
【特許文献４】米国特許公開第３，６９６，６０９号明細書
【特許文献５】米国特許公開第５，０４３，９５５号明細書
【特許文献６】欧州特許公開第１，１０２，１３４号明細書
【特許文献７】米国特許公開第２，２９２，４５８号明細書
【特許文献８】スイス特許公開第６９１，０８７号明細書
【特許文献９】欧州特許公開第１，５５５，５８４号明細書
【発明の開示】
【発明が解決しようとする課題】
【００１１】
本発明の課題は、従来技術で周知の機構よりも場所を取らない、時計の指針を駆動するための機構を構成することである。
【００１２】
本発明の別の課題は、前記した機構の中の一つにおける熊手状部品の歯とピニオンの歯との間の遊びを解消するか、或いは大幅に低減する、時計の指針を駆動する機構を構成することである。
【００１３】
本発明の更に別の課題は、設計の際に、従来技術で周知の機構よりも大きな自由度を設計技術者に提供する、時計の指針を駆動するための機構を構成することである。
【課題を解決するための手段】
【００１４】
これらの課題は、本発明にもとづき、独立請求項の前段部分による時計の指針を駆動するための機構において、第一の熊手状部品と第二の熊手状部品が重なり合うように配置されている機構によって達成される。
【００１５】
この実施形態は、場所を取らず、熊手状部品同士が重なり合った配置によって互いに安定させ合っているという利点を有する。この利点は、一定の遊びを有する固定部品を追加することによって助長することができる。本発明による機構によって、指針の位置を変更する際の遊びとぐらつきが防止される。従って、使用者が時計を動かした場合でも、指針は、固定位置に留まる。
【００１６】
熊手状部品は、一つの共通の軸の周りに軸支することもでき、それは、追加的な軸と関連する固定手段を省くことができるという利点を有する。歯のピッチと２つの熊手状部品の構成部分は、２つの熊手状部品において異なる形態にすることができ、そのため、有利には、設計技術者が、一定の実施構成を設計する際に更なる自由度を持つこととなる。
【００１７】
第二の熊手状部品がピニオンに力を加えることができるように、第二の熊手状部品は、カムディスクと逆側に配置された第二の熊手状部品の凹部に作用するスプリングと力を伝達する形で接続されている。このスプリングは、２つの脚部を持つとともに、１つの固定点で保持することができる。
【００１８】
歯車と接続されたカムディスクは、第一の熊手状部品がカムディスクの回転毎に幾つかの離散的な位置に止まるような輪郭を有する。具体的な実施形態では、カムディスクはスネイルカムであり、ずらした形の２つの楕円形又は半円形の部材から構成されており、カムディスクの輪郭にはノッチが有る。
【００１９】
より簡単に製造するために、１つ又は２つの熊手状部品と指針を駆動するピニオンは、プラスチック材料から構成することができる。更に別の有利な実施形態は、従属請求項に記載されている。
【発明を実施するための最良の形態】
【００２０】
添付図面にもとづき、本発明を詳しく説明する。
【００２１】
図１は、本発明による一方の限界位置から他方の限界位置に動き、その後リセットされて、３６０°の全回転を行うこと無く、同じ行程を進む時計の指針を駆動するための機構１を図示している。図１に図示されていない指針は、ピニオン７と接続されており、そのため毎回目盛の一定の位置に止まって、週の日、日付、時間、秒等を表示する。図１は、指針をリセットした直後の限界位置における機構を図示している。指針は、時計の針、例えば、時計のレトログラード針、或いは時計の窓を通して一部を見ることが可能なディスクとすることができる。
【００２２】
本発明による機構は、星形歯車３と接続されたカムディスク２から構成されており、星形歯車がカムディスクを駆動する。図１に図示されている有利な形態では、カムディスクは、スネイルカムである。カムディスク２は、輪郭２１を有し、図示されている実施形態では、ずらして配置された二つの楕円形又は半円形の部品から構成されており、カムディスク２の輪郭２１にはノッチ２２が有る。星形歯車３とカムディスク２は、共通の軸Ａの周りを回転している。星形歯車３は、一つの突起を有する調整ユニット３２によって駆動されるとともに、レバースプリング３１によって特定の位置にそれぞれ保持される。
【００２３】
第一の熊手状部品４は、カムディスク２と力を伝達する形で接続されている。軸Ｂの周りに軸支されている熊手状部品４は、片側に歯４１を持っている。熊手状部品４は、カムディスク２の方を向いた側面に、Ｌ字形状の凹部４２を有し、その一部の領域が指状突起部４３を形成している。一部に歯４１も持っている指状突起部４３が、カムディスク２の輪郭２１上に力を伝達する形で支持されている。カムディスク２の輪郭２１は、複数の小さい凹部又は高さが幾分低くなった区画を有し、そのため第一の熊手状部品４は、カムディスク２が回転する毎に幾つかの離散的な位置に停止する。図示されている実施形態では、それぞれ週の１つの日を表す各構成要素のために、７つの区画と位置が設けられている。従って、カムディスク２には、全体として１４の構成要素が有る。勿論、ここで与えられた例と提示された値にもとづく、位置を表す凹部の数とカムディスク２、輪郭２１及びノッチ２２の具体的な実施構成は、変更することが可能である。
【００２４】
同時に、ピニオン７は、図１には図示されていない指針と接続されている。従って、ピニオン７は、時計の針又はディスクを駆動する。そのために、ピニオン７は、第一の熊手状部品４の歯４１と係合する多くの歯７１を持っている。指状突起部４３と第一の熊手状部品４の歯４１によって、力と運動が、カムディスク２からピニオン７に伝達される。それによって、ピニオン７は、軸Ｃの周りを回転する。熊手状部品４の歯４１の一方の側は、ピニオン７の歯７１で支持されており、そのため力を伝達している。歯４１の他方の側面とピニオン７のその側面と隣接する歯７１との間には、一定の遊びが有る。
【００２５】
カムディスク２の楕円形又は半円形の各部品の半径は、軸Ａに関して増大しているので、指状突起部４３は、カムディスク２が回転する間絶えず移動して行き、ピニオン７は、図１において矢印で表示されている通り、反時計周りの方向に回転する。輪郭２１上で利用可能な位置は、表示すべき針の位置に変換される。図２は、カムディスク２が半周回転した後の機構１を図示している。指状突起部４３は、ノッチ２２の直前、即ち、指針がもう１ステップ時計周りの方向に進むと図１に図示された位置にリセットされる直前の第二の限界位置に有る。
【００２６】
本発明では、第二の熊手状部品５が、第一の熊手状部品４と重なり合うように配置されている。この実施形態は、場所を取らず、熊手状部品同士が互いに重なり合っていることによって互いに安定させ合っているという利点を有する。熊手状部品５は、同様にピニオン７の歯７１と係合する歯５１を持っている。図示されている実施形態では、第二の熊手部品５は、熊手状部品４と共に、第一の軸Ｂの周りに軸支されており、両方の構成部品４，５は、両方の熊手状部品４，５を結束させるための固定部品４４，５４を介して、互いに接続されている。しかし、本発明の枠組みにおいては、独立した軸を構成することも考えられる。図示されている通り、熊手状部品同士は、一つの共通の軸Ｂの周りに軸支されており、それは、１つの軸及び関連する付属部品を省くことができるという利点を有する。熊手状部品５には、更に、案内部品５３が見られる。
【００２７】
図示されている構成によって、第二の熊手状部品５は、第一の熊手状部品４がピニオン７に加える力と逆向きの力をピニオン７の歯７１に加える。従って、これらの力だけでは、ピニオン７を時計周りの方向に回転させることとなる。そのため、歯５１は、歯７１の側面上で支持されており、前述した歯４１の第二の側面とピニオン７の歯７１との間には遊びが存在する。熊手状部品が、そのような力を加えるようにするために、熊手状部品には、スプリング６が力を伝達する形で接続されている。このスプリング６は、熊手状部品と平行な面に、かつカムディスク２の方を向いた熊手状部品５の側面に配置されている。熊手状部品５のそのような側面には、スプリング６に作用する凹部５２が有る。図示されている例では、スプリング６は、２つの脚部６１を有し、両方の脚部６１を結束させるための１つの固定点６２で支持されている。一方の脚部６１は、固定部品６３によって保持されている。しかし、本発明の枠組みにおいて、それ以外のスプリング又は力を伝達する部品も考えられる。
【００２８】
歯４１，５１のピッチと２つの熊手状部品４，５の構成部分は、両方の熊手状部品４，５において異なる形態とすることも可能であり、そのため、有利には、設計技術者は、本発明による機構の一定の実施構成を設計する際に、更なる自由度を持つこととなる。より簡単な製造のために、一方又は両方の熊手状部品４，５とピニオン７をプラスチック材料から構成することができる。そのことは、特に、標準的な部品として製造することが可能であるとともに、そのため、例えば、金属製の、或いはサイズ、ピッチ、構成部分の中の一つ以上が異なる第一の熊手状部品４と異なる時計仕掛けで協働することが可能な熊手状部品５に適用される。
【００２９】
本発明による機構によって、指針の位置を変えた際の遊びとぐらつきが防止される。従って、使用者が時計を動かしても、指針は、固定位置に留まったままである。
【図面の簡単な説明】
【００３０】
【図１】時計の針をリセット位置に調整した機構図
【図２】時計の針を限界位置に調整した機構図
【符号の説明】
【００３１】
１    機構
２    カムディスク
２１  カムディスク２の輪郭
２２  カムディスク２の輪郭２１のノッチ
３    星形歯車
３１  レバースプリング
３２  調整ユニット
４    第一の熊手状部品
４１  第一の熊手状部品４の歯
４２  凹部
４３  熊手状部品４の指状突起部
４４  案内部品
５    第二の熊手状部品
５１  第二の熊手状部品５の歯
５２  凹部
５３  固定部品
５４  案内部品
６    スプリング
６１  スプリング６の脚部
６２  スプリング６の固定点
６３  スプリング６の付属部品
７    ピニオン
７１  ピニオン７の歯
Ａ，Ｂ，Ｃ    軸
【図１】
2009531684.tif 000003
【図２】
2009531684.tif 000004
【国際調査報告】
2009531684.tif 000005
2009531684.tif 000006
2009531684.tif 000007
2009531684.tif 000008